(57)【要約】　　　（修正有）【課題】Ｃ級アンプを使用することで熱放出と、ミスコンバージェンスの差異値を補正するプロジェクションテレビの映像歪み補正装置を提供する。【解決手段】映像信号が走査される時に発生するミスコンバージェンス値を算出するミスコンバージェンス値算出部と、ミスコンバージェンス値に基づき、映像信号に対するミスコンバージェンスを補正するためのパルス波形のコンバージェンス補正値を算出する補正値算出部と、コンバージェンス補正値に対してＤ級増幅を行う増幅部、及びＣＲＴに取り付けられ、増幅部で増幅されたコンバージェンス補正値に基づき、映像信号に対応する電子ビームの経路を制御するコンバージェンスヨークと、を有する。コンバージェンスヨークは、印加されたコンバージェンス補正値に対応する電圧値を補正値算出部にフィードバックする。補正値算出部では、フィードバックされた電圧値を考慮してコンバージェンス補正値を算出する。【選択図】　　　図６
2004007560.tif 000002
【特許請求の範囲】
【請求項１】
外部から受信した信号から映像信号とこの映像信号の水平／垂直同期信号を検出する映像処理部と；
前記水平／垂直同期信号に基づき、前記映像信号が走査される時に発生するミスコンバージェンス値を算出するミスコンバージェンス値算出部と；
前記ミスコンバージェンス値に基づき、前記映像信号に対するミスコンバージェンスを補正するためのパルス波形のコンバージェンス補正値を算出する補正値算出部と；
前記コンバージェンス補正値に対して増幅を行う増幅部と；
前記増幅部で増幅された前記コンバージェンス補正値に基づき、前記映像信号に対応する電子ビームの経路を制御するコンバージェンスヨークとを含むことを特徴とする映像歪み補正装置。
【請求項２】
前記増幅部が、Ｄ級アンプであることを特徴とする請求項１に記載の映像歪み補正装置。
【請求項３】
前記コンバージェンスヨークがＣＲＴに取り付けられることを特徴とする請求項１に記載の映像歪み補正装置。
【請求項４】
前記増幅部が、前記補正値算出部で算出した前記コンバージェンス補正値を選択的に増幅及び出力するブリッジ構造の第１の増幅部及び第２の増幅部を備えることを特徴とする請求項１に記載の映像歪み補正装置。
【請求項５】
前記第１の増幅部及び前記第２の増幅部が、ＮＭＯＳトランジスタを含むことを特徴とする請求項４に記載の映像歪み補正装置。
【請求項６】
前記補正値算出部で算出された前記コンバージェンス補正値が電気信号であり、２Ｖ以下であることを特徴とする請求項１に記載の映像歪み補正装置。
【請求項７】
前記増幅部で増幅された前記コンバージェンス補正値が電気信号であり、２５Ｖ以下であることを特徴とする請求項４に記載の映像歪み補正装置。
【請求項８】
前記補正値算出部が、
前記ミスコンバージェンス値算出部で算出された前記ミスコンバージェンス値を入力される補正値入力部と；
非線形素子を用いて三角波を発生する三角波発生部と；
前記ミスコンバージェンス値と前記三角波が交差するポイントに基づき、前記ミスコンバージェンス値と前記三角波の値とを比較する比較部と；
前記比較部での比較の結果に応じてパルス幅変調信号を発生するパルス波発生部とを含むことを特徴とする請求項１に記載の映像歪み補正装置。
【請求項９】
コンバージェンスヨークが、コイルを通った電流に対応する電圧値を前記補正値生成部にフィードバックし、
前記補正値生成部では、フィードバックされた前記電圧値を考慮して前記コンバージェンス補正値を算出することを特徴とする請求項１に記載の映像歪み補正装置。
【請求項１０】
前記補正値生成部が、
前記コンバージェンスヨークからフィードバックされた前記電圧値を入力されるフィードバック入力部と；
前記補正値入力部に入力された前記ミスコンバージェンス値と前記フィードバック入力部に入力された前記電圧値とを合成する合成部と；
を更に含み、
前記パルス波発生部では、前記合成部で前記ミスコンバージェンス値と前記電圧値とが合成された信号と、前記三角波発生部で発生した前記三角波により前記コンバージェンス補正値を発生することを特徴とする請求項８に記載の映像歪み補正装置。
【請求項１１】
前記コンバージェンスヨークには、印加される電流により所定の磁界を形成する複数のコイルが周方向に沿って等間隔で配設され、対向するコイル同士が対をなし、各対の前記コイルには同じ源からの電流が印加され、
前記増幅部では、増幅された前記コンバージェンス補正値に対応する電圧の前記電流を前記コンバージェンスヨークに出力することを特徴とする請求項９に記載の映像歪み補正装置。
【請求項１２】
前記コイルが４つであり、前記４つのコイルのうち、対向するコイル同士がそれぞれ対をなして配設されることを特徴とする請求項１１に記載の映像歪み補正装置。
【請求項１３】
前記コンバージェンスヨークが、前記４つのコイルのうち、対向して配設された一方の前記コイル対に形成される前記磁界により前記映像信号の前記電子ビームの垂直経路を制御し、対向して配設された他方の前記コイル対に形成される前記磁界により前記映像信号の前記電子ビームの水平経路を制御することを特徴とする請求項１２に記載の映像歪み補正装置。
【請求項１４】
前記増幅部と前記コンバージェンスヨークとの間に設けられ、前記増幅部で増幅された前記コンバージェンス補正値を低域フィルタを通じてフィルタリングする低域通過フィルタを更に含むことを特徴とする請求項９に記載の映像歪み補正装置。
【請求項１５】
前記ミスコンバージェンス値算出部では、前記水平／垂直同期信号に基づき、前記映像信号が走査される時に発生する偏向歪み値を算出し、
前記ＣＲＴにそれぞれ取り付けられ、前記偏向歪み値に応じて前記映像信号の前記電子ビームの水平／垂直偏向のための所定の電流を印加する偏向ヨークを更に含むことを特徴とする請求項３に記載の映像歪み補正装置。
【請求項１６】
（ａ）外部から受信した信号から映像信号とこの映像信号の水平／垂直同期信号を検出するステップと；
（ｂ）前記水平／垂直同期信号に基づき、前記映像信号が走査される時に発生するミスコンバージェンス値を算出するステップと；
（ｃ）前記ミスコンバージェンス値に基づき、前記映像信号に対するミスコンバージェンスを補正するためのパルス波形のコンバージェンス補正値を算出するステップと；
（ｄ）前記コンバージェンス補正値に対し、導通抵抗が小さくて動作時の発熱量が小さいアンプを用いて増幅を行うステップと；
（ｅ）増幅された前記コンバージェンス補正値の通過電流に基づいて形成された磁界により前記映像信号に対応する電子ビームの経路を制御するステップと；
を含むことを特徴とする映像歪み補正装置を用いた映像歪み補正方法。
【請求項１７】
前記（ｄ）ステップで、前記増幅が、Ｄ級増幅を行うＤ級アンプにより行われることを特徴とする請求項１６に記載の映像歪み補正装置を用いた映像歪み補正方法。
【請求項１８】
前記Ｄ級増幅を行うアンプが、ブリッジ構造に配設された２つのＮＭＯＳトランジスタからなることを特徴とする請求項１６に記載の映像歪み補正装置を用いた映像歪み補正方法。
【請求項１９】
前記コンバージェンス補正値が電気信号であり、２Ｖ以下であることを特徴とする請求項１６に記載の映像歪み補正装置を用いた映像歪み補正方法。
【請求項２０】
前記Ｄ級に増幅された前記コンバージェンス補正値が電気信号であり、２５Ｖ以下であることを特徴とする請求項１６に記載の映像歪み補正装置を用いた映像歪み補正方法。
【請求項２１】
前記（ｃ）ステップが、
前記ミスコンバージェンス値を入力されるステップと；
設定された周波数により三角波を発生するステップと；
前記ミスコンバージェンス値と前記三角波が交差するポイントに基づき、前記ミスコンバージェンス値と前記三角波の値とを比較するステップと；
前記比較の結果に応じてパルス幅変調信号を発生するステップとを含むことを特徴とする請求項１６に記載の映像歪み補正装置を用いた映像歪み補正方法。
【請求項２２】
前記Ｄ級増幅された前記コンバージェンス補正値の通過電流に対応する電圧値を前記コンバージェンス補正値の算出ステップにフィードバックするステップを更に含み、
前記コンバージェンス補正値の算出ステップでは、フィードバックされた前記電圧値を考慮して前記コンバージェンス補正値を算出することを特徴とする請求項１７に記載の映像歪み補正装置を用いた映像歪み補正方法。
【請求項２３】
前記（ｃ）ステップが、
フィードバックされた前記電圧値を入力されるステップと；
前記ミスコンバージェンス値とフィードバックされた前記電圧値とを合成するステップと；
を更に含み、
前記パルス信号の発生ステップでは、前記ミスコンバージェンス値と前記電圧値とが合成された信号と、前記三角波により前記コンバージェンス補正値を発生することを特徴とする請求項１６に記載の映像歪み補正装置を用いた映像歪み補正方法。
【請求項２４】
前記増幅ステップの後、増幅された前記コンバージェンス補正値を低域フィルタを通じてフィルタリングするステップを更に含むことを特徴とする請求項１７に記載の映像歪み補正装置を用いた映像歪み補正方法。
【発明の詳細な説明】
【０００１】
【発明の属する技術分野】
本発明は、プロジェクションテレビの映像歪み補正装置に関し、より詳しくは、映像信号に対するミスコンバージェンスを補正するために印加される電気信号を増幅してコンバージェンスヨーク（ＣＹ）に提供することにより、コンバージェンスヨークのコイルに形成された磁界により走査される映像信号に対するミスコンバージェンスを補正することができるプロジェクションテレビの映像歪み補正装置に関する。
【０００２】
【従来の技術】
一般に、テレビは、無線及び有線を通じて送られてきたオーディオ／ビデオ信号をそれぞれスピーカ及び画面に出力する機能を行う。かかるテレビは、生活レベルの向上に伴い、高品質のものが市販されてきている。かかる高品質のテレビのうち、プロジェクションテレビは、レンズを用いて赤色（Ｒ）、緑色（Ｇ）、青色（Ｂ）の陰極線管（ＣＲＴ）に映された映像を拡大させ、その拡大された映像を鏡に向けて投射し、鏡に入射した映像を反射して大型のスクリーンに出力することにより、受信した映像信号を拡大されたテレビ映像としてディスプレイする。
【０００３】
図１は、一般のプロジェクションテレビのディスプレイ装置を概略的に示す図である。ディスプレイ装置は、ＲＧＢＣＲＴ２ａ、２ｂ、２ｃ（以下、２と省略する）、鏡４、及び画面６を有する。ＲＧＢＣＲＴ２は、Ｒ、Ｇ、Ｂのそれぞれの映像を電子ビームとしてレンズ（図示せず）に向けて投射し、このレンズでそれぞれの映像が拡大される。レンズを透過して拡大されたＲ、Ｇ、Ｂのそれぞれの映像は鏡４に入射し、反射される。この反射されたＲ、Ｇ、Ｂのそれぞれの映像は、画面６に入射し、拡大されたそれぞれの映像がディスプレイされる。
【０００４】
この時、プロジェクションテレビの画面６にディスプレイされる映像は、Ｒ、Ｇ、Ｂのそれぞれに対応して設けられた複数のＣＲＴ２の位置と角度及び光学素子による影響から、映像がディスプレイされる時に光学的歪みが発生することがある。
【０００５】
図２は、図１の画面６に映し出されるＲ、Ｇ、Ｂのそれぞれの映像軌跡を示す図である。画面６にディスプレイされるＲ、Ｇ、Ｂの映像軌跡が、ＲＧＢＣＲＴ２の配列位置と鏡４の位置間の関係から、一致しないのみならず、歪んだり角張ったりする模様の映像軌跡を示す。
【０００６】
かかる光学的歪みは、ＣＲＴ２と鏡４の位置、レンズの倍率、ＣＲＴ２に印加された電流により生成される磁界などのような種々の要因により、非線形的な特性を有している。
【０００７】
プロジェクションテレビは、ＲＧＢの３つのＣＲＴ２ａ、２ｂ、２ｃが同じ位置に配設されず、一般に並設されているため、Ｒ、Ｇ、Ｂのそれぞれの電子ビームが画面６の同じ所には投射されることがない。これにより、プロジェクションテレビでは、所望するカラー映像を得られなくするミスコンバージェンスが光学的歪みと共に発現する。
【０００８】
図３は、従来の技術によるプロジェクションテレビの映像歪み補正装置を概略的に示す図である。映像歪み補正装置は、映像のミスコンバージェンスを補正するための電気信号を増幅するアンプ１０、２０、このアンプ１０、２０から増幅された電気信号の電流が流れ込むことにより所定の磁界を形成するコンバージェンスヨーク３２ａ、３２ｂ、３２ｃ、及びこのコンバージェンスヨーク３２ａ、３２ｂ、３２ｃが取り付けられＲＧＢのそれぞれの映像をコンバージェンスヨーク３２ａ、３２ｂ、３２ｃに形成された磁界により走査方向を制御するＣＲＴ２ａ、２ｂ、２ｃを有する。
【０００９】
アンプ１０、２０は、それぞれ３つの増幅部１２、１４、１６及び２２、２４、２６が１つのモジュールとしてモジュール化されている。また、各増幅部１２、１４、１６及び２２、２４、２６は、２つずつ対をなして、１つは、水平コンバージェンスを制御するための電気信号を増幅し、もう１つは、垂直コンバージェンスを制御するための電気信号を増幅する。
【００１０】
図４は、図３のコンバージェンスヨーク３２ａの断面の例を示す図である。コンバージェンスヨーク３２ａは、円形をなしてＣＲＴ２ａに取り付けられる。コンバージェンスヨーク３２ａは、Ｒ映像の水平（Ｈ）コンバージェンスを制御するための電流が印加されるコイルＨ１、Ｈ２がその周方向にそって左右に対向して配設され、Ｒ映像の垂直（Ｖ）コンバージェンスを制御するための電流が印加されるコイルＶ１、Ｖ２が周方向にそって上下に対向して配設される。この結果、コイルＨ１、Ｈ２、Ｖ１、Ｖ２には、印加される電流により所定の磁界が形成される。従って、Ｒ映像の電子ビームは、コンバージェンスヨーク３２ａに形成された磁界により走査方向が補正される。
【００１１】
図５は、図３のアンプ１０、２０のうち、Ｒ映像の水平コンバージェンスの制御のために印加された電圧を増幅する増幅部１２を示す図である。増幅部１２では、印加される電圧を増幅してコンバージェンスヨーク３２ａへ出力する。コンバージェンスヨーク３２ａは、印加された電圧によりコイルＬに所定の磁界を形成する。一方、コイルＬを通った電流に対する電圧は、増幅部１２にフィードバックされる。この結果、増幅部１２では、外部から印加される電圧とフィードバックされた電圧との差異値を増幅及び出力する。かかる増幅部１２を演算増幅器（オペアン）という。かかる演算増幅器は、パワートランジスタからなるＣ級アンプである。
【００１２】
しかしながら、演算増幅器を構成するパワートランジスタは、電流駆動用素子であると共に大きい導通抵抗値を有する。この結果、演算増幅器に大電流が流れる場合、高い発熱量を発生する。従って、従来では、かかる熱を放出するために、放熱面積の大きい放熱板を必要とするという不具合がある。即ち、パワートランジスタで発生する発熱量は、導通電流に比例して指数的に増加するため、かかる熱を放出するために、より大きな放熱板がプロジェクションテレビに設けられることにより、製品の嵩高につながるという不具合がある。また、プロジェクションテレビに取り付けられるＩＣ部品のわりに大きさの大きい放熱板を取り付けることにより、ＩＣ部品及びＩＣ部品が取り付けられている基板の配置が困難になる。
【００１３】
また、従来の増幅部１２は、演算増幅器であるため、増幅部１２で差動及び増幅された電流がコンバージェンスヨーク３２ａに印加される。従って、コンバージェンスヨーク３２ａを流れる電流が時間が経つにつれて減少し、所望するミスコンバージェンスを正確に補正することができないという不具合がある。
【００１４】
【発明が解決しようとする課題】
本発明は、従来の映像歪み補正装置に関する上記問題点に鑑みてなされたものであり、本発明の目的は、電流駆動用素子であるパワートランジスタからなるＣ級アンプを使用することで発生する熱を放出するための放熱板の必要性に起因する製品の嵩高という問題を解決することができるプロジェクションテレビの映像歪み補正装置を提供することである。
【００１５】
また、本発明のまた他の目的は、ミスコンバージェンスを補正するために印加された電圧に対し、時間が経つにつれてコンバージェンスヨークのコイルを流れる電流が減少することにより発生するミスコンバージェンスの差異値を補正することができるプロジェクションテレビの映像歪み補正装置を提供することである。
【００１６】
【課題を解決するための手段】
前記のような目的は、本発明による、外部から受信した信号から映像信号とこの映像信号の水平／垂直同期信号を検出する映像処理部と、水平／垂直同期信号に基づき、映像信号が走査される時に発生するミスコンバージェンス値を算出するミスコンバージェンス値算出部と、ミスコンバージェンス値に基づき、映像信号に対するミスコンバージェンスを補正するためのパルス波形のコンバージェンス補正値を算出する補正値算出部と、コンバージェンス補正値に対してＤ級増幅を行う増幅部、及びＣＲＴに取り付けられ、増幅部で増幅されたコンバージェンス補正値に基づき、映像信号に対応する電子ビームの経路を制御するコンバージェンスヨークとを含むことを特徴とする映像歪み補正装置により達成される。
【００１７】
なお、増幅部は、補正値算出部で算出したコンバージェンス補正値を選択的に増幅及び出力するブリッジ構造のＮＭＯＳトランジスタを含む第１の増幅部及び第２の増幅部を有する。
【００１８】
補正値算出部で算出されたコンバージェンス補正値は、アナログ電気信号であり、２Ｖ以下の値を有する。また、増幅部で増幅されたコンバージェンス補正値は、パルス波の電気信号であり、２５Ｖ以下の値を有する。
【００１９】
好ましくは、補正値算出部は、ミスコンバージェンス値算出部で算出されたミスコンバージェンス値を入力される補正値入力部と、非線形素子を用いて三角波を発生する三角波発生部と、ミスコンバージェンス値と三角波が交差するポイントに基づき、ミスコンバージェンス値と三角波の値とを比較する比較部、及び比較部での比較の結果に応じてパルス幅変調信号を発生するパルス波発生部とを含む。
【００２０】
一方、コンバージェンスヨークは、コイルを通った電流に対する電圧値を補正値生成部にフィードバックする。補正値生成部では、フィードバックされた電圧値を考慮してコンバージェンス補正値を算出する。好ましくは、補正値生成部は、コンバージェンスヨークからフィードバックされた電圧値を入力されるフィードバック入力部、及び補正値入力部に入力されたミスコンバージェンス値とフィードバック入力部に入力された電圧値とを合成する合成部と、を更に有する。この結果、パルス波発生部では、合成部でミスコンバージェンス値と電圧値とが合成された信号と三角波発生部で発生した三角波によりコンバージェンス補正値を発生する。コンバージェンスヨークには、印加される電流により所定の磁界を形成する複数のコイルが周方向に沿って等間隔で配設され、対向するコイル同士が対をなし、各対の前記コイルには同じ源からの電流が印加される。この結果、増幅部では、増幅されたコンバージェンス補正値に対応する電圧の電流をコンバージェンスヨークに出力する。
【００２１】
本実施例の映像歪み補正装置は、増幅部とコンバージェンスヨークとの間に設けられ、増幅部で増幅されたコンバージェンス補正値を低域フィルタを通じてフィルタリングする低域通過フィルタを更に有する。ミスコンバージェンス値算出部では、水平／垂直同期信号に基づき、映像信号が走査される時に発生する偏向歪み値を算出し、ＣＲＴにそれぞれ取り付けられ、偏向歪み値に応じて映像信号の電子ビームの水平／垂直偏向のための所定の電流を印加する偏向ヨークを更に有する。
【００２２】
一方、前記のような目的は、本発明による、外部から受信した信号から映像信号とこの映像信号の水平／垂直同期信号を検出するステップと、水平／垂直同期信号に基づき、映像信号が走査される時に発生するミスコンバージェンス値を算出するステップと、ミスコンバージェンス値に基づき、映像信号に対するミスコンバージェンスを補正するためのパルス波形のコンバージェンス補正値を算出するステップと、コンバージェンス補正値に対し、Ｄ級アンプを用いてＤ級増幅を行うステップ、及びＤ級増幅されたコンバージェンス補正値の通過電流に基づいて形成された磁界により映像信号に対応する電子ビームの経路を制御するステップとを含む映像歪み補正装置を用いた映像歪み補正方法により達成される。
【００２３】
好ましくは、Ｄ級増幅を行うアンプは、ブリッジ構造に配設された２つのＮＭＯＳトランジスタからなる。コンバージェンス補正値は、電気信号であり、２Ｖ以下の値である。また、Ｄ級に増幅された前記コンバージェンス補正値は、電気信号であり、２５Ｖ以下の値である。
【００２４】
好ましくは、コンバージェンス補正値の算出ステップは、ミスコンバージェンス値を入力されるステップと、設定された周波数により三角波を発生するステップと、ミスコンバージェンス値と三角波が交差するポイントに基づき、ミスコンバージェンス値と三角波の値とを比較するステップ、及び比較の結果に応じてパルス幅変調信号を発生するステップとを含む。
【００２５】
本実施例の映像歪み補正装置を用いた映像歪み補正方法は、Ｄ級に増幅されたコンバージェンス補正値の通過電流に対応する電圧値をコンバージェンス補正値の算出ステップにフィードバックするステップを更に含む。この結果、コンバージェンス補正値の算出ステップでは、フィードバックされた電圧値を考慮してコンバージェンス補正値を算出する。
【００２６】
好ましくは、コンバージェンス補正値の算出ステップは、フィードバックされた電圧値を入力されるステップ、及びミスコンバージェンス値とフィードバックされた電圧値とを合成するステップとを更に含む。この結果、パルス信号の発生ステップでは、ミスコンバージェンス値と電圧値とが合成された信号と三角波によりコンバージェンス補正値を発生する。また、本実施例の映像歪み補正方法は、増幅ステップの後、増幅されたコンバージェンス補正値を低域フィルタを通じてフィルタリングするステップを更に含むことが好ましい。
【００２７】
本発明によると、コンバージェンス補正値を増幅するために電界効果トランジスタを用いたＤ級増幅を行うことにより、導通抵抗が小さくて増幅動作時の発熱量が低いことから放熱板の大きさを小型に収めることにより、制作する製品の全体としての大きさを小さくすることができ、製品のコストを軽減することができる。また、コンバージェンスヨークからフィードバックされた電圧値によりコンバージェンス補正値を可変的に算出することにより、コンバージェンスでより正確なミスコンバージェンスの補正が可能である。
【００２８】
【発明の実施の形態】
以下に添付図面を参照しながら、本発明にかかる映像歪み補正装置の好適な実施の形態について詳細に説明する。
【００２９】
図６は、本発明による映像歪み補正装置の好適な実施の形態を示すブロック図である。映像歪み補正装置は、映像処理部１００と、ミスコンバージェンス算出部２００と、補正値算出部３００と、増幅部４００と、低域通過フィルタ（ＬＰＴ）５００、及びコンバージェンスヨーク６２０と偏向ヨーク６６０を備えたＣＲＴ６００とを有する。
【００３０】
映像処理部１００では、外部信号源からの信号から映像信号とこの映像信号の水平及び垂直同期信号を検出する。ミスコンバージェンス算出部２００では、映像処理部１００で検出した水平／垂直同期信号に基づき、映像信号が走査される時に発生する偏向歪み値及びミスコンバージェンス値を算出する。なお、偏向歪み値及びミスコンバージェンス値は、アナログ値の所定の電気信号である。好ましくは、偏向歪み値及びミスコンバージェンス値は、２Ｖ以下である。
【００３１】
補正値算出部３００では、ミスコンバージェンス算出部２００で算出されたミスコンバージェンス値に基づき、映像信号に対するミスコンバージェンスを補正するためのコンバージェンス補正値を算出する。なお、コンバージェンス補正値は、ミスコンバージェンス算出部２００から出力されたアナログの電気信号に対しパルス幅変調されたパルス波形で示す。
【００３２】
増幅部４００では、補正値算出部３００で算出されたパルス波形のコンバージェンス補正値をＤ級アンプにより増幅及び出力する。増幅部４００では、入力されるコンバージェンス補正値を２５Ｖまで増幅することができる。この時、Ｄ級アンプは、導通抵抗が小さくて増幅動作時に発生する発熱量が低い。
【００３３】
低域通過フィルタ５００は、増幅部４００で増幅されたコンバージェンス補正値を予め設定された値に応じてフィルタリングを行う。ＣＲＴ６００は、ミスコンバージェンス値算出部２００及び低域通過フィルタ５００からそれぞれ出力された偏向歪み値及びコンバージェンス補正値に対応する電流が印加されることによって形成された磁界により映像処理部１００から出力された映像の走査経路を制御する。好ましくは、ＣＲＴ６００の偏向ヨーク６６０は、映像に対応する電子ビームの主経路を制御し、コンバージェンスヨーク６２０は、偏向ヨーク６６０により主経路が調整された電子ビームの走査に対する微細調整といった補助経路を制御する。
【００３４】
好ましくは、コンバージェンスヨーク６２０は、低域通過フィルタ５００から出力されたコンバージェンス補正値の電流により磁界が形成される時に通る電流の電圧値を補正値算出部３００にフィードバックする。この結果、補正値算出部３００では、ミスコンバージェンス値算出部２００で算出されたミスコンバージェンス値に対するコンバージェンス補正値を算出する時、フィードバックされた電圧値を考慮してより正確なミスコンバージェンスの補正を行うためのコンバージェンス補正値を算出することができる。
【００３５】
従って、コンバージェンス補正値を増幅するためにＤ級増幅を行う増幅部４００を用いることにより、導通抵抗が小さくて増幅動作時の発熱量が低いことから、小型の放熱板を用いて熱を放出することができる。放熱板の大きさを小型に収めることにより、製作される製品の全体としての大きさを小さくすることができ、製品のコストを軽減することができる。
【００３６】
図７は、図６の補正値算出部３００を詳細に示すブロック図である。補正値算出部３００は、三角波発生部３１０と、補正値入力部３２０と、フィードバック入力部３３０と、合成部３４０と、比較部３５０、及びパルス波発生部３６０とを有する。
【００３７】
三角波発生部３１０では、予め設定された周波数及び振幅に応じて三角波を発生する。補正値入力部３２０では、ミスコンバージェンス値算出部２００から出力されたミスコンバージェンス値を入力される。フィードバック入力部３３０では、コンバージェンスヨーク６２０からフィードバックされた電圧値を入力される。補正値入力部３２０及びフィードバック入力部３３０に入力されるミスコンバージェンス値及び電圧値は、アナログ値である。合成部３４０では、補正値入力部３２０及びフィードバック入力部３３０に入力されたミスコンバージェンス値と電圧値とを合成し、コンバージェンスヨーク６２０にかかる電圧値が一定の値を有するようにミスコンバージェンス値を算出する。比較部３５０では、合成部３４０及び三角波発生部３１０から出力されたミスコンバージェンス値と三角波を交差させ、その交差点を用いてそれぞれの値の大きさを比較する。パルス波発生部３６０では、比較部３５０で比較した値をもってパルス幅変調されたパルス波形を発生する。
【００３８】
従って、増幅部４００では、パルス波発生部３６０から出力されたデジタル値のパルス波についてデジタル増幅を行う。また、コンバージェンスヨーク６２０からフィードバックされた電圧値に応じてコンバージェンス補正値を可変的に算出することにより、コンバージェンスヨーク６２０でより正確なミスコンバージェンスの補正が可能である。
【００３９】
図８は、図６の増幅部４００の例を示す図である。ここで、増幅部４００では、Ｄ級増幅を行う。従って、増幅部４００では、パルス波発生部３６０から出力されたパルス波形のコンバージェンス補正値を選択的に増幅及び出力する第１のアンプ４２０及び第２のアンプ４４０を有する。本実施の形態において、第１のアンプ４２０は、コンバージェンス補正値のうち、正（＋）の値を増幅及び出力し、第２のアンプ４４０は、コンバージェンス補正値のうち、負（−）の値を増幅及び出力する。同図に示すように、第１のアンプ４２０及び第２のアンプ４４０は、ＮＭＯＳトランジスタ（Ｎ−ｃｈａｎｎｅｌＥ−ＭＯＳＦＥＴ）である。かかるＥ−ＭＯＳＦＥＴは、電圧駆動用素子でありながら、導通抵抗が小さいため、増幅動作を行う時、小さい発熱量が発生する。
【００４０】
図９は、図６のコンバージェンスヨーク６２０のいずれかを詳細に示す回路図である。コンバージェンスヨーク６２０は、クランプ抵抗Ｒ１、フィードバック抵抗Ｒ２、及び印加された電流により磁界を発生するコイルＬを有する。この時、コイルＬを通った電流に対する電圧値は、フィードバック抵抗Ｒ２により補正値算出部３００のフィードバック入力部３３０にフィードバックされる。従って、本実施の形態のコンバージェンスヨーク６２０は、コイルＬにかかる電圧の大きさを考慮して可変的に算出されたコンバージェンス補正値に応じて一定の大きさの磁界を形成することができ、より正確なミスコンバージェンスを補正することができる。
【００４１】
図１０は、コンバージェンスヨーク６２０から電圧値をフィードバックしていない状態でコンバージェンス補正値Ｃ１を用いたミスコンバージェンスの補正時にコイルＬを流れる電流量Ｌ１を測定したグラフである。
【００４２】
同図に示すように、基準値のコンバージェンス補正値Ｃ１に対するコイルＬを通る電流量Ｌ１が時間が経つにつれて減少することが分かる。従って、コイルＬを通った電流に対応する電圧値を考慮しないでミスコンバージェンスを補正すると、時間が経つにつれて不正確な補正を行うという不具合がある。
【００４３】
図１１は、本実施の形態によるコンバージェンスヨーク６２０からフィードバックされた電圧値を考慮して算出したコンバージェンス補正値Ｃ２を用いたミスコンバージェンスの補正時にコイルＬを流れる電流量Ｌ２を測定したグラフである。
【００４４】
同図に示すように、基準値のコンバージェンス補正値Ｃ２に対するコイルＬを通る電流量Ｌ２が、一定の値を維持することが分かる。従って、初期の設定値から変わることなく、時間が経つにつれても一定の大きさの磁界を維持することにより、より正確なミスコンバージェンスの補正が可能である。
【００４５】
図１２は、本発明による映像歪み補正装置を用いた映像歪み補正方法の好適な実施の形態を示すフローチャートである。
【００４６】
先ず、映像処理部１００では、受信した信号から映像信号とこの映像信号の水平／垂直同期信号を検出する（Ｓ１００）。ミスコンバージェンス算出部２００では、水平／垂直同期信号から映像信号の偏向歪み値及びミスコンバージェンス値を算出する（Ｓ２００）。補正値算出部（３００）では、ミスコンバージェンス値からパルス波形のコンバージェンス補正値を算出する（Ｓ３００）。増幅部４００では、パルス波形のコンバージェンス補正値に対しＤ級増幅を行う（Ｓ４００）。低域通過フィルタ５００では、設定された値に応じてＤ級増幅されたコンバージェンス補正値をフィルタリングする（Ｓ５００）。コンバージェンスヨーク６２０は、低域通過フィルタ５００でフィルタリングされたコンバージェンス補正値に対応する電流が印加されることによってコイルＬに形成された磁界により映像の電子ビームの走査経路を制御する（Ｓ６００）。一方、コンバージェンスヨーク６２０は、コイルＬを通った電流に対応する電圧値を補正値算出部３００にフィードバックする（Ｓ７００）。この結果、補正値算出部３００では、フィードバックされた電圧値を考慮してコンバージェンス補正値を算出する。
【００４７】
図１３は、Ｓ３００ステップをより詳細に示すフローチャートである。先ず、補正値入力部３２０では、ミスコンバージェンス算出部２００から出力されたミスコンバージェンス値を入力される（Ｓ３１０）。この時、ミスコンバージェンス値は２Ｖ以下の値である。三角波発生部３１０では、設定された周波数及び振幅に応じて三角波を発生する（Ｓ３２０）。フィードバック入力部３３０では、コンバージェンスヨーク６２０からフィードバックされた電圧値を入力される（Ｓ３３０）。
【００４８】
合成部３４０では、補正値入力部３２０に入力されたミスコンバージェンス値とフィードバック入力部３３０に入力された電圧値とを合成する（Ｓ３４０）。この時、合成されたミスコンバージェンス値は、１つのアナログ信号で示す。比較部３５０では、合成部３４０で合成されたミスコンバージェンス値と三角波発生部３１０で発生した三角波を交差して、相互の値の大きさを比較する（Ｓ３５０）。パルス波発生部３６０では、比較部３５０での比較の結果に応じてパルス波形のパルス幅変調されたコンバージェンス補正値を生成する（Ｓ３６０）。
【００４９】
従って、ミスコンバージェンスを補正するためにコイルＬに印加される電流量を一定に維持することにより、より正確にミスコンバージェンスを補正することができる。
【００５０】
以上、添付図面を参照しながら本発明の映像歪み補正装置及びこの装置を用いた補正方法の好適な実施の形態について説明したが、本発明はかかる例に限定されない。当業者であれば、特許請求の範囲に記載された技術的思想の範疇内において各種の変形例又は修正例に想到し得ることは明らかであり、それらについても当然に本発明の技術的思想に属するものと了解される。
【００５１】
【発明の効果】
以上で説明したように、本発明によると、コンバージェンス補正値を増幅するために電界効果トランジスタを用いたＤ級増幅を行うことにより、導通抵抗が小さくて増幅動作時の発熱量が低いことから、放熱板の大きさを小型に収めることにより、製作される製品の全体としての大きさを小さくすることができ、製品のコストを軽減することができる。
【００５２】
また、コンバージェンスヨークからフィードバックされた電圧値に応じてコンバージェンス補正値を可変的に算出することにより、コンバージェンスヨークでより正確なミスコンバージェンスの補正が可能である。
【図面の簡単な説明】
【図１】プロジェクションテレビのディスプレイ装置を概略的に示す図である。
【図２】図１の画面に映し出されるＲ、Ｇ、Ｂのそれぞれの映像の軌跡を示す図である。
【図３】従来の技術によるプロジェクションテレビの映像歪み補正装置を概略的に示す図である。
【図４】図３のコンバージェンスヨークの断面の例を示す図である。
【図５】図３のアンプのうち、Ｒ映像の水平コンバージェンスの制御のために印加された電圧を増幅する増幅部を示す図である。
【図６】本発明による映像歪み補正装置の好適な実施の形態を示すブロック図である。
【図７】図６の補正値算出部を詳細に示すブロック図である。
【図８】図６の増幅部の例を示す図である。
【図９】図６のコンバージェンスヨークのいずれかを詳細に示す回路図である。
【図１０】コンバージェンスヨークから電圧値をフィードバックしていない状態でコンバージェンス補正値を用いたミスコンバージェンスの補正時にコイルを流れる電流量を測定したグラフである。
【図１１】本発明の実施の形態によるコンバージェンスヨークからフィードバックされた電圧値を考慮して算出したコンバージェンス補正値を用いたミスコンバージェンスの補正時にコイルを流れる電流量を測定したグラフである。
【図１２】本発明による映像歪み補正装置を用いた映像歪み補正方法の好適な実施の形態を示すフローチャートである。
【図１３】図１２のコンバージェンス補正値の算出ステップを詳細に示すフローチャートである。
【符号の説明】
１００　映像処理部
２００　ミスコンバージェンス算出部
３００　補正値算出部
３１０　三角波発生部
３２０　補正値入力部
３３０　フィードバック入力部
３４０　合成部
３５０　比較部
３６０　パルス波発生部
４００　増幅部
４２０　第１のアンプ
４４０　第２のアンプ
５００　低域通過フィルタ（ＬＰＴ）
６００　ＣＲＴ
６２０　コンバージェンスヨーク
６６０　偏向ヨーク
【図１】
2004007560.tif 000003
【図２】
2004007560.tif 000004
【図３】
2004007560.tif 000005
【図４】
2004007560.tif 000006
【図５】
2004007560.tif 000007
【図６】
2004007560.tif 000008
【図７】
2004007560.tif 000009
【図８】
2004007560.tif 000010
【図９】
2004007560.tif 000011
【図１０】
2004007560.tif 000012
【図１１】
2004007560.tif 000013
【図１２】
2004007560.tif 000014
【図１３】
2004007560.tif 000015